(57)【要約】【課題】キャップの端部の外周に付着した糊の残渣が使用者の手指や周囲の物を汚す問題の改善を図ったスティック糊の容器を提供する。【解決手段】内部に糊が充填される糊充填空間４１を有するとともに先端に糊を外部に導出させるための糊導出口４２を有した容器本体４と、この容器本体４の糊充填空間４１が外部に連通するのを気密に遮断する閉止状態及び糊を外部に導出可能な開放状態の何れかを選択的にとり得る開閉機構５とを具備するスティック糊１の容器２であって、開閉機構５が、容器本体４に設けられたキャップ取付筒５１と、このキャップ取付筒５１の内側に着脱可能に嵌合するキャップ５２とを備え、閉止状態において装着されたキャップ５２の端部がキャップ取付筒５１に外側から覆われながら当該キャップ５２が前記糊導出口４２を外部から遮蔽するスティック糊１の容器２を構成した。【選択図】図６
2020059178.tif 000002
【特許請求の範囲】
【請求項１】
内部に糊が充填される糊充填空間を有するとともに先端に前記糊を外部に導出させるための糊導出口を有した容器本体と、この容器本体の糊充填空間が外部に連通するのを気密に遮断する閉止状態及び前記糊を外部に導出可能な開放状態の何れかを選択的にとり得る開閉機構とを具備するスティック糊の容器であって、
前記開閉機構が、前記容器本体に設けられたキャップ取付筒と、このキャップ取付筒の内側に着脱可能に嵌合するキャップとを備え、前記閉止状態において装着されたキャップの端部がキャップ取付筒に外側から覆われながら当該キャップが前記糊導出口を外部から遮蔽するスティック糊の容器。
【請求項２】
前記閉止状態において、前記キャップ取付筒の内側の円形状をなす嵌合部に前記キャップが嵌合するかまたはキャップの外側の円形状をなす嵌合部にキャップ取付筒が嵌合する請求項１記載のスティック糊の容器。
【請求項３】
前記キャップ取付筒にその内周面から内側方に突出する円形状のリブが前記嵌合部として形成され、または前記キャップにその外周面から外側方に突出するリブが前記嵌合部として形成されている請求項２記載のスティック糊の容器。
【請求項４】
前記キャップ取付筒及び前記キャップがそれぞれ円筒状をなす請求項２または３記載のスティック糊の容器。
【請求項５】
前記容器本体が非円形状の前記糊導出口を有する請求項１、２、３または４記載のスティック糊の容器。
【請求項６】
前記キャップ取付筒及び前記キャップがそれぞれ樹脂成形品である請求項１、２、３、４または５記載のスティック糊の容器。
【発明の詳細な説明】
【技術分野】
【０００１】
本発明は、内部に棒状の糊が充填されるスティック糊の容器に関する。
【背景技術】
【０００２】
紙等を貼着または接着するために用いられる固形の糊を細長い容器に収容し、これを少量ずつ繰り出すことのできるスティック糊が周知である。
【０００３】
従来のスティック糊は、容器の先端に開設された円形状の糊導出口から円柱状の糊が現れるものであった。そのようなスティック糊では、例えば、四角形状の用紙の周囲に糊を塗布しようとするときに、当該用紙の縁や角の部分に糊をはみ出さないよう綺麗に塗ることが容易でない。そこで、容器の先端に開設された四角形状の糊導出口から四角柱状の糊が現れる態様のスティック糊が開発されるようになった（例えば、下記特許文献１を参照）。
【０００４】
スティック糊の非使用時には、容器の先端部に外側から嵌合するキャップを装着することで糊導出口を被覆する。使用者がこのキャップを脱着する際、キャップの周壁の端縁が糊を刮げるようにして糊に接触し、キャップの端部の外周に糊が付着することがあり得る。さすれば、その付着した糊の残渣が使用者の手指や用紙その他の周囲の物を汚すおそれが生じる。
【先行技術文献】
【特許文献】
【０００５】
【特許文献１】特許第５９２８６６３号公報
【発明の概要】
【発明が解決しようとする課題】
【０００６】
本発明は、キャップの端部の外周に付着した糊の残渣が使用者の手指や周囲の物を汚す問題の改善を図ったスティック糊の容器を提供することを所期の目的とする。
【課題を解決するための手段】
【０００７】
本発明では、内部に糊が充填される糊充填空間を有するとともに先端に前記糊を外部に導出させるための糊導出口を有した容器本体と、この容器本体の糊充填空間が外部に連通するのを気密に遮断する閉止状態及び前記糊を外部に導出可能な開放状態の何れかを選択的にとり得る開閉機構とを具備するスティック糊の容器であって、前記開閉機構が、前記容器本体に設けられたキャップ取付筒と、このキャップ取付筒の内側に着脱可能に嵌合するキャップとを備え、前記閉止状態において装着されたキャップの端部がキャップ取付筒に外側から覆われながら当該キャップが前記糊導出口を外部から遮蔽するスティック糊の容器を構成した。
【０００８】
スティック糊の非使用時にキャップを容器本体に装着した閉止状態での気密性をより一層高めるためには、前記閉止状態において、前記キャップ取付筒の内側の円形状をなす嵌合部に前記キャップが嵌合するか、またはキャップの外側の円形状をなす嵌合部にキャップ取付筒が嵌合する構造とすることが好ましい。ここで、「円形状」とは、中心からの距離が一定の真円のみならず、例えば真円に近い楕円等、中心からの距離が完全に一定ではない誤差を含んだ形状をも包含する概念である。
【０００９】
具体的な態様としては、前記キャップ取付筒にその内周面から内側方に突出する円形状のリブが前記嵌合部として形成され、または前記キャップにその外周面から外側方に突出するリブが前記嵌合部として形成されているものが想定される。
【００１０】
前記キャップ取付筒及び前記キャップがそれぞれ円筒状をなしていれば、前記嵌合部を含めた成形がより容易となる。
【００１１】
そして、前記容器本体が有する前記糊導出口は、非円形状をなすことがある。
【００１２】
前記キャップ取付筒及び前記キャップは、例えば樹脂成形品とする。
【発明の効果】
【００１３】
本発明によれば、キャップの端部の外周に付着した糊の残渣が使用者の手指や周囲の物を汚す問題の改善を図ったスティック糊の容器が実現される。
【図面の簡単な説明】
【００１４】
【図１】本発明の一実施形態のスティック糊及びその容器の斜視図。
【図２】同実施形態のスティック糊及びその容器の要部を拡大して示す斜視図。
【図３】同実施形態のスティック糊の容器を破断し要部を拡大して示す斜視図。
【図４】同実施形態のスティック糊の容器を破断して示す斜視図。
【図５】同実施形態のスティック糊の容器の分解斜視図。
【図６】同実施形態のスティック糊の容器の要部を拡大して示す縦断面図。
【図７】同実施形態のスティック糊の容器のＡ−Ａ線端面図。
【図８】同実施形態のスティック糊の容器のＢ−Ｂ線端面図。
【図９】本発明の変形例の一に係るスティック糊の容器の要部を拡大して示す縦断面図。
【発明を実施するための形態】
【００１５】
本発明の一実施形態を、図面を参照して説明する。図１ないし図８に、本実施形態のスティック糊１及びその容器２を示す。スティック糊１は、容器２内に固形の棒状の糊３を充填または収容してなり、その糊３を容器２の糊導出口から少量ずつ繰り出して使用することのできるものである。本実施形態のスティック糊１の容器２は、内部に糊３が充填される糊充填空間４１を有するとともに先端（または、前端、頂端、上端）に糊３を外部に導出させるための真円でない糊導出口４２を有した容器本体４と、この容器本体４の糊充填空間４１が外部に連通するのを気密に遮断する閉止状態及び糊３を外部に導出可能な開放状態を選択的にとり得る開閉機構５と、糊３を糊導出口４２から漸次導出させるための糊押出機構６とを具備する。
【００１６】
図３ないし図８に示すように、容器本体４は、糊充填空間４１を内包しかつ糊充填空間４１を外部に連通させる糊導出口４２を先端に開設した管状体である糊充填部４３と、この糊充填部４３の外側を取り巻き使用者が把持するための把持部分４４１を有したボディ４４とを備える。本実施形態では、糊充填部４３とボディ４４とを、例えば合成樹脂または硬質樹脂により一体成形している。但し、糊３が消費された後に新たな糊３を装填することのできる詰め替えタイプのスティック糊１にあっては、糊充填部４３を交換用のリフィル（の少なくとも一部）としてボディ４４に対して脱着できることがある。
【００１７】
本実施形態における糊３は、角柱状、特に四角柱状をなす。従って、糊導出口４２に至る糊充填部４３の内周面４３１は、糊３の外周形状に合致するような角形筒状、特に四角筒状に形成してある。なお、この内周面４３１には、後述するレール４３３を突出させて設けている。糊充填部４３の先端の筒状部分４３２は、ボディ４４の先端よりも先方に突き出し、その先端に糊導出口４２が開口している。
【００１８】
ボディ４４は、糊充填部４３の先端筒状部分４３２以外の部分を抱持するもので、その外周４４１が糊３の外周の形状または糊充填部４３の内周４３１の形状に相似した角筒状、特に四角筒状をなしている。換言すれば、図７及び図８に示すように、糊３及び容器２が伸長する方向と平行な軸線と直交する面で切った横断面視において、ボディ４４の外側辺である四辺４４２が、糊充填部４３及び糊導出口４２の内側辺（さらには、糊３の外側辺）である四辺４２１と平行または略平行となっている。尤も、ボディ４４の外周４４１の隅角部、即ち辺４４２と辺４４２とが交わる四隅は丸面取りしてある。このボディ４４の外周４４１は、スティック糊１を使用して糊３を塗布しようとする使用者が把持することのできる把持部分として機能する。
【００１９】
糊充填部４３及びボディ４４の基端（または、後端、底端、下端）部には、糊充填空間４１を基端側から閉塞する底壁４５を一体成形している。底壁４５の中心部には、当該底壁４５を貫通する軸孔４５１を穿ってある。軸孔４５１は、後述する糊押出機構６に係わる。
【００２０】
本実施形態のスティック糊１の容器２の開閉機構５は、容器本体４の先端側に設けたキャップ取付筒５１と、このキャップ取付筒５１の内側に嵌合することで装着されて容器本体４の糊導出口４２を被覆するキャップ５２とを要素とする。
【００２１】
キャップ取付筒５１は、その内周面５１１及び外周面５１４が円形状をなす、比較的厚みの薄い短尺な筒状体である。キャップ取付筒５１は、空隙５１６を介して容器本体４の外周４３４を包囲しながら、径方向に沿って内方に突き出した接続部５１５を介して容器本体４の外周４３４、４４１に接合している。より具体的には、接続部５１５が、キャップ取付筒５１における容器２の基端側にある部位と、ボディ４４の先端または糊充填部４３の先端筒状部分４３２の基端の近傍の部位とを連接している。本実施形態では、キャップ取付筒５１とボディ４４とを、例えば合成樹脂または硬質樹脂により一体成形する。同時に、キャップ取付筒５１は糊充填部４３（の先端筒状部分４３２）とも一体化しているが、既に述べたような詰め替えタイプのスティック糊１にあっては、糊充填部４３とキャップ取付筒５１とが分離することがあり得る。
【００２２】
キャップ取付筒５１は、接続部５１５から軸線と平行または略平行に容器２の先端方向に延出しており、その内周面５１１が空隙５１６を介して容器本体４の先端筒状部分４３２の外周面４３４と対面している。つまり、キャップ取付筒５１の内周５１１と容器本体４の先端筒状部分４３２の外周４３４との間に介在する空隙５１６は、容器２の先端方向に開放している。そして、キャップ取付筒５１は、容器本体４の糊導出口４２よりも容器２の基端側に偏倚している。即ち、糊導出口４２は、キャップ取付筒５１の先端よりも先方に位置する。
【００２３】
キャップ取付筒５１の基端部位は接続部５１５により容器本体４の外周４４１に連接し、その接続部５１５が空隙５１６を基端側から閉塞する。このことから、空隙５１６は容器２の基端方向には開放していない。キャップ取付筒５１の基端は、容器本体４を把持して糊３を塗布する使用者の母指または示指の指先が触れ得る把持部分４４１の先端領域に臨む。
【００２４】
キャップ５２は、中空の円筒状をなす周壁５２１の先端側の端部を頂版５２４により閉塞した形状をなしており、その周壁５２１の外周５２２をキャップ取付筒５１の内周５１１に嵌合させるようにして、キャップ取付筒５１に対し着脱自在に装着することができる。キャップ５２は、例えば合成樹脂または硬質樹脂により一体成形する。
【００２５】
スティック糊１を使用しないときには、図１、図４、図６ないし図８に示すように、キャップ５２の開口する基端側の端部にキャップ取付筒５１を外嵌し、そのキャップ５２の内に容器本体４の先端筒状部分４３２及び糊導出口４２を収容し、当該キャップ５２によりこれらを被覆して外部から遮蔽する閉止状態とする。スティック糊１を使用するときには、図２及び図３に示すように、キャップ５２をキャップ取付筒５１から脱離させ、容器本体４の先端筒状部分４３２及び糊導出口４２を露出させた開放状態とすればよいことは言うまでもない。頂版５２４の外周縁は、若干ながら周壁５２１の外周よりも径方向に沿って外側方に迫り出している。
【００２６】
キャップ取付筒５１は、その内周５１１に、軸線方向から見て円形状の嵌合部５１２を有している。より具体的には、円筒状または略円筒状の内周面５１１の所定部位から径方向に沿って内側方に突出し周方向に沿って一周連続したリブ５１２を成形しており、このリブ５１２が嵌合部としてキャップ５２の円筒状または略円筒状の外周面５２２の所定部位に密接することで、当該嵌合部５１２がキャップ５２の円形状の外周５２２に緊密に嵌合する。リブ５１２の断面の外縁は、糊３及び容器２が伸長する方向と平行な軸線と重なる面で切った縦断面視において、円弧状または楕円弧状をなす。
【００２７】
キャップ５２もまた、その外周５２２に、軸線方向から見て円形状の嵌合５２３を有している。より具体的には、円筒状または略円筒状の外周面５２２の所定部位から径方向に沿って外側方に突出し周方向に沿って一周連続したリブ５２３を成形しており、このリブ５２３が嵌合部としてキャップ取付筒５１の円筒状または略円筒状の内周面５１１の所定部位に密接することで、当該嵌合部５２３がキャップ取付筒５１の円形状の内周５１１に緊密に嵌合する。リブ５２３の断面の外縁は、縦断面視において円弧状または楕円弧状をなす。
【００２８】
図１、図４、図６ないし図８に示す閉止状態では、キャップ５２のリブ５２３がキャップ取付筒５１のリブ５１２よりも容器２の基端側に所在する。即ち、キャップ５２をキャップ取付筒５１に装着する過程で、キャップ５２のリブ５２３がキャップ取付筒５１に対し容器２の先端側から基端側に向かって相対的に変位し、キャップ取付筒５１またはキャップ５２の弾性変形を伴いながらキャップ取付筒５１のリブ５１２を乗り越える。容器本体４の糊導出口４２は、これらのリブ５１２、５２３さらにはキャップ取付筒５１の先端よりも先方に配されている。
【００２９】
キャップ５２を容器本体４に装着した閉止状態では、キャップ５２の周壁５２１の開口端縁及びこれに近い端部が、キャップ取付筒５１の内側にある空隙５１６、即ちキャップ取付筒５１と容器本体４（の糊導出口４３）との間の空隙５１６の内に収まる。このとき、キャップ５２の周壁５２１の端部の外周面５２２がキャップ取付筒５１の内周面５１１に当接または極近接し、かつキャップ５２の周壁５２１の端面５２５が接続部５１５における容器２の先端方向を向く面５１３に当接または極近接する。そして、キャップ５２の周壁５２１の開口端縁及びこれに近い端部が、キャップ取付筒５１によって外側方から隠蔽されるとともに、接続部５１５によって容器２の基端方から隠蔽される。これにより、キャップ５２の周壁５２１の端部の外周面５２２や端面５２５に糊３の残渣が付着したとしても、その糊３の残渣が使用者の手指や用紙その他の物を汚すことが回避される。
【００３０】
図３ないし図５に示すように、糊押出機構６は、容器本体４の底壁４５の軸孔４５１に挿通して糊充填部４３内の糊充填空間４１に侵入したねじ棒６１と、底壁４５により隔てられた糊充填部４３の外にあるねじ棒６１の基端部に固定した手動操作用のつまみ６２と、糊充填部４３内においてねじ棒６１に螺着したエレベータ６３とを備えている。つまみ６２の外周６２１は、把持部分となる容器本体４のボディ４４の外周４４１の形状に合致した角筒状、特に四角筒状をなす。ねじ棒６１の外周には、雄ねじ６１１を切ってある。
【００３１】
エレベータ６３は、容器２の先端側に向かって開口した有底の箱形をなし、糊充填部４３内の糊充填空間４１に充填される糊３を支持する。エレベータ６３の底の中心部には、ねじ棒６１の雄ねじ６１１に螺合する雌ねじ孔６３１を設けている。エレベータ６３の外周面６３２は、糊充填部４３の内周４３１の形状に合致するような角筒状、特に四角筒状に形成している。しかして、糊充填部４３の内周面４３１と、これに当接または極近接するエレベータ６３の外周面６３２とのうち一方に、糊３及び容器２の伸長方向即ち糊３の進退方向に沿って延伸するレール４３３を突出させて設け、他方に同方向に沿って延伸しレール４３３と係合する凹溝６３３を設けている。レール４３３と凹溝６３３との凹凸係合は、エレベータ６３が容器本体４に対して相対的に軸線回りに回動することを禁じながら、エレベータ６３が容器本体４に対して相対的に軸線と平行に移動することを案内する。
【００３２】
糊３を糊導出口４２から繰り出して使用するためには、使用者が、キャップ５２を取り外して糊導出口４２を露出させる開放状態とした上で、容器本体４の外部にあるつまみ６２を軸線回りに正回転させればよい。さすれば、つまみ６２とともにねじ軸が正回転し、これに螺合しているエレベータ６３が容器本体４の糊充填部４３内で糊導出口４２に接近する先端方向に移動し、エレベータ６３に支持された糊３が糊充填空間４１から糊導出口４２を通じて押し出される。
【００３３】
使用を終えて繰り出した糊３を糊導出口４２よりも没入させるためには、使用者が、つまみ６２を軸線回りに逆回転させればよい。さすれば、ねじ軸が逆回転し、エレベータ６３が糊充填部４３内で糊導出口４２から離反する基端方向に移動し、エレベータ６３に支持された糊３が糊充填空間４１内に引き込まれる。しかる後、キャップ５２を再び装着して糊導出口４２を被覆する閉止状態とする。
【００３４】
本実施形態では、内部に糊３が充填される糊充填空間４１を有するとともに先端に前記糊３を外部に導出させるための糊導出口４２を有した容器本体４と、この容器本体４の糊充填空間４１が外部に連通するのを気密に遮断する閉止状態及び前記糊３を外部に導出可能な開放状態の何れかを選択的にとり得る開閉機構５とを具備するスティック糊１の容器２であって、前記開閉機構５が、前記容器本体４に設けられたキャップ取付筒５１と、このキャップ取付筒５１の内側に着脱可能に嵌合するキャップ５２とを備え、前記閉止状態において装着されたキャップ５２の端部がキャップ取付筒５１に外側から覆われながら当該キャップ５２が前記糊導出口４２を外部から遮蔽するスティック糊１の容器２を構成した。
【００３５】
スティック糊１の非使用時には、キャップ５２をキャップ取付筒５１の内周５１１に嵌合させて装着することで、糊充填部４３の糊充填空間４１に充填された糊３が密封されるため、乾燥その他による糊３の品質及び性能の経時変化を防止または抑制することができる。しかも、そのキャップ５２の端部がキャップ取付筒５１により外側から囲繞されて隠蔽されるので、キャップ５２の端部の外周に糊３の残渣が付着したとしても、その糊３の残渣が使用者の手指や周囲の物を汚すことが回避される。
【００３６】
その上で、前記閉止状態において、前記キャップ取付筒５１の内側の真円または真円に近い円形状をなす嵌合部５１２に前記キャップ５２が嵌合し、及び／または、キャップ５２の外側の真円または真円に近い円形状をなす嵌合部５２３にキャップ取付筒５１が嵌合することから、図７及び図８に示すように、キャップ５２とキャップ取付筒５１とを全周に亘って均一に密着させることが可能となり、一部に隙間が生じて気密性が損なわれる不具合を回避できる。従って、閉止状態におけるキャップ５２の気密性を維持しながら、糊導出口４２の形状の自由度を高めることができ、糊３の乾燥に起因する縮小固化その他の劣化の問題を解決しつつ、用紙の縁や角の部分への糊３の塗布の作業性を向上させることができる。
【００３７】
前記容器本体４が有する前記糊導出口４２は非円形状、特に角形状をなしている。このようなものであれば、糊導出口４２から角柱状の糊３を繰り出して、四角形の用紙の角部等に無理なく糊３を美麗に塗布することが可能となる。糊充填部４３の先端筒状部分４３２及び糊導出口４２はキャップ取付筒５１の先端よりも先方に位置しており、その視認性が良好であり、糊３を塗布する箇所を常に確認しながら作業することができる。
【００３８】
キャップ取付筒５１の内周面５１１と容器本体４の外周面４３４、４４１との間に空隙５１６を設けており、キャップ取付筒５１の厚みを周方向に沿って均一化し、嵌合部５１２を正確な真円形状とすることができる。そして、キャップ５２を装着した閉止状態での気密性がさらに高まる。加えて、空隙５１６を設けることで、キャップ取付筒５１が径方向に弾性変形しやすくなるため、キャップ取付筒５１の内周５１１とキャップ５２の外周５２２との嵌合の度合いを強め（きつめ）に設定しても、キャップ５２を円滑に脱着または開閉することができる。
【００３９】
前記キャップ取付筒５１及び前記キャップ５２は、ともに樹脂成形品である。特に、キャップ取付筒５１は、容器本体４に一体成形されている。前記キャップ取付筒５１及び前記キャップ５２はそれぞれ円筒状をなしていることから、嵌合部たるリブ５１２、５２３を含めた成形がより容易となる。
【００４０】
また、本実施形態では、前記キャップ取付筒５１が、その先端から基端方向に向かって前記接続部５１５まで延出しており、その接続部５１５が前記容器本体４における前記糊３を塗布する操作を行う使用者の母指または示指の指先が触れ得る把持部分４４１の先端領域に臨んでいる。これにより、使用者が自然な形でキャップ取付筒５１の基端に指を掛けて容器本体４を把持することができ、取り落としにくく使い勝手のよいスティック糊１となる。
【００４１】
さらに、横断面視において前記把持部分４４１の外側辺４４２が前記糊導出口４２の内側辺４２１と平行または略平行となっているので、使用者が糊導出口４２から繰り出した糊３の側辺の向きを糊３を塗布する対象の用紙の縁辺の向きと平行に揃える操作が容易となる。
【００４２】
なお、本発明は以上に詳述した実施形態に限られるものではない。例えば、糊導出口４２の形状は、正方形状には限定されず、三角形状や六角形状等の多角形状とすることや、円形状とすることも許される。その場合、糊導出口４２から導出される糊３が、三角柱状や六角柱状等の多角柱状、または円柱状をなすこととなる。
【００４３】
上記実施形態では、キャップ５２を容器本体４に装着した閉止状態において、キャップ５２の周壁５２１の端部の内周面５２６が容器本体４から離間していた。これに対し、図９に示すように、容器本体４にキャップ取付筒５１の内周面５１１に接近しつつこれと対向する壁面４４３を成形し、それらキャップ取付筒５１の内周面５１１と壁面４４３との間にキャップ５２の周壁５２１の端部を差し入れるようにしてもよい。このときには、当該壁面４４３が、キャップ５２の周壁５２１の端部の内周面５２６に当接または極近接する。壁面４４３は、軸線方向から見て円形状または円筒状をなすことがあり、その場合、キャップ取付筒５１の内周面５１１と壁面４４３との間の幅狭な凹溝が、周方向に沿って一周連続した様相を呈する。
【００４４】
その他、各部の具体的構成は、本発明の趣旨を逸脱しない範囲で種々変形が可能である。
【符号の説明】
【００４５】
１…スティック糊
２…容器
３…糊
４…容器本体
４１…糊充填空間
４２…糊導出口
５…開閉機構
５１…キャップ取付筒
５１１…内周面
５１２…嵌合部（リブ）
５２…キャップ
５２２…外周面
５２３…嵌合部（リブ）
【図１】
2020059178.tif 000003
【図２】
2020059178.tif 000004
【図３】
2020059178.tif 000005
【図４】
2020059178.tif 000006
【図５】
2020059178.tif 000007
【図６】
2020059178.tif 000008
【図７】
2020059178.tif 000009
【図８】
2020059178.tif 000010
【図９】
2020059178.tif 000011